(57)【要約】【課題】確実に開閉動作し大型化を抑えたレンズバリアを有するレンズ鏡筒を提供する。【解決手段】沈胴及び撮影位置の間で繰出繰込動作するレンズ鏡筒において、最も繰出されたとき先端に位置する繰出段ユニットと、繰出繰込に伴い回動せず光軸方向に進退する第１の枠部材１６と、繰出繰込に伴い第１の枠部材と一体に光軸方向に進退し第１の枠部材に対し光軸周りに相対的に回動する第２の枠部材１５と、光学系の一部を構成する光学素子１６ａと、光路を遮断する閉位置と同光路から退避する開位置との間で移動する少なくとも一対のバリア羽根２７ｘと、バリア羽根を挟んで光学素子の配設位置の反対側に配置され光軸周りに回動してバリア羽根を駆動するバリア羽根駆動部材２７ｃと、第２の枠部材の回動力をバリア羽根駆動部材に伝達する駆動力伝達部３４とを具備する。【選択図】図４
2005215082.tif 000002
【特許請求の範囲】
【請求項１】
沈胴位置と撮影位置との間で繰出動作及び繰込動作を行うレンズ鏡筒において、
最も繰り出された状態とされたときに先端に位置する繰出段ユニットと、
この繰出段ユニットに含まれ繰出動作及び繰込動作に伴って回動することなく撮影光学系の光軸に沿う方向に進退する第１の枠部材と、
上記繰出段ユニットに含まれ繰出動作及び繰込動作に伴って上記第１の枠部材と一体的に上記撮影光学系の光軸に沿う方向に進退すると共に、上記第１の枠部材に対して上記撮影光学系の光軸周りに相対的に回動する第２の枠部材と、
上記第１の枠部材に配設され上記撮影光学系の一部を構成する光学素子と、
上記第１の枠部材に配設され上記撮影光学系の光路を遮断する閉位置と上記撮影光学系の光路から退避する開位置との間で移動する少なくとも一対のバリア羽根と、
このバリア羽根を挟んで上記光学素子の配設位置とは反対側の位置に配設され上記撮影光学系の光軸周りに回動して上記バリア羽根を開閉駆動するバリア羽根駆動部材と、
上記第２の枠部材の上記撮影光学系の光軸周りへの回動力を上記バリア羽根駆動部材へと伝達する駆動力伝達部と、
を具備することを特徴とするレンズ鏡筒。
【請求項２】
上記第２の枠部材は、上記第１の枠部材の外側に配設され、
上記駆動力伝達部は、上記バリア羽根を挟んで上記光学素子とは反対側に配置されていることを特徴とする請求項１に記載のレンズ鏡筒。
【請求項３】
上記駆動力伝達部は、上記第２の枠部材の先端部において上記第２の枠部材の内方に向けて突設される押圧部と、上記バリア羽根駆動部材の外周側において上記押圧部に当接し得る位置に設けられる被押圧部とによって構成されていることを特徴とする請求項２に記載のレンズ鏡筒。
【請求項４】
上記第１の枠部材と上記第２の枠部材との間に配置され上記第１の枠部材と上記第２の枠部材との間を水密に保持する防水部材を、さらに有し、
上記防水部材は、上記押圧部よりも上記光学素子の側に配置されることを特徴とする請求項３に記載のレンズ鏡筒。
【請求項５】
上記請求項１から上記請求項４に記載のレンズ鏡筒を具備することを特徴とするカメラ。
【発明の詳細な説明】
【技術分野】
【０００１】
この発明は、レンズ鏡筒及びカメラ、詳しくは沈胴位置と撮影位置との間で繰出動作及び繰込動作を行うレンズ鏡筒及びこのレンズ鏡筒を備えたカメラにおいて、特にレンズ鏡筒の先端に設けられるバリア開閉機構に関するものである。
【背景技術】
【０００２】
従来より、写真撮影等を行うカメラ等においては、不使用時（非撮影時）にはカメラ本体内部に繰り込み収納することで撮影光学系を保持するレンズ鏡筒を所定の沈胴位置に配置し、使用時（撮影時）には上記沈胴位置にある上記レンズ鏡筒をカメラ本体内部から繰り出させて所定の撮影位置へと移動させるように構成した沈胴式のレンズ鏡筒を具備するものが一般に実用化され普及している。
【０００３】
また、上述のような沈胴式のレンズ鏡筒を有するカメラにおいて、レンズ鏡筒が沈胴位置にあるときには撮影光学系の光路を遮断する閉位置に配置され、同レンズ鏡筒が撮影位置にある時には光路から退避する開位置に配置され得るように当該レンズ鏡筒（撮影光学系）の光路を開閉自在とするレンズバリアを同レンズ鏡筒の先端側の所定の位置に具備するものについても、従来より一般に実用化され広く普及している。
【０００４】
この場合において、上記レンズバリアを開閉するための開閉機構については、従来より、例えば特開平７−１５９８５５号公報や特開平７−２０３６９号公報や特許第３３７０４０１号公報等によって種々の提案がなされまた実用化されている。
【０００５】
上記特開平７−１５９８５５号公報及び上記特開平７−２０３６９号公報によって開示されているカメラにおいては、いずれもレンズ鏡筒の先端に円環形状のバリア開閉リングを配設し、このバリア開閉リングをレンズ鏡筒の繰出及び繰込動作に連動させて当該レンズ鏡筒の光軸周りに回動させることでレンズバリアのバリア羽根を開閉させるようにしている。
【０００６】
また、上記特開平７−１５９８５５号公報によって開示されているカメラにおけるバリア開閉リングにはレンズ鏡筒の内部に向けて延出する腕部が一体に形成されている。これに対応させてレンズ鏡筒の内部には当該レンズ鏡筒が光軸に沿う方向へと進退する際に従動する回転カム板が設けられている。そして、この回転カム板には上記バリア開閉リングの腕部の延出方向に対向するよう前方に向けて延出される腕部が形成されている。
【０００７】
したがって、当該回転カム板が当該レンズ鏡筒の光軸に沿う方向へと移動すると、その腕部は上記バリア開閉リングの腕部に係合し、バリア開閉リングを所定の方向に回動させることになる。このバリア開閉リングの回動に伴ってレンズバリアの開閉が行なわれるように構成している。
【０００８】
一方、上記特開平７−２０３６９号公報によって開示されているカメラのレンズ鏡筒においては、撮影光学系を光軸に沿う方向へと移動させて合焦動作を行うために設けられる駆動モータの駆動力を利用してレンズバリアの駆動をも行い得るようにしたものである。
【０００９】
この場合において、一端がバリア開閉リングに噛合し他端がレンズ鏡筒内部に向けて延出するバリア駆動ギヤーをレンズ鏡筒の先端部近傍に配設し、このバリア駆動ギヤーを介してバリア開閉リングとレンズ鏡筒内部に配設され複数のギアー等からなる駆動機構との間を連結するように構成している。したがって、これにより駆動機構の駆動モータが回動すると、バリア駆動リングが回動する。このバリア開閉リングの回動に伴ってレンズバリアののバリア羽根の開閉が行なわれる。
【００１０】
他方、上記特許第３３７０４０１号公報によって開示されているカメラのレンズバリア機構は、レンズ鏡筒の先端部において４枚のバリア羽根と、このバリア羽根を開位置と閉位置との間で移動させるバリア駆動部材等にからなり、この場合において、バリア羽根はバリア駆動部材の配置位置よりも前方寄りに配置するようにしている。
【特許文献１】特開平７−１５９８５５号公報
【特許文献２】特開平７−２０３６９号公報
【特許文献３】特許第３３７０４０１号公報
【発明の開示】
【発明が解決しようとする課題】
【００１１】
ところが、上記特開平７−１５９８５５号公報や上記特開平７−２０３６９号公報によって開示されている手段では、レンズ鏡筒の先端部に光軸周りに回動する円環形状の部材（バリア開閉リング）を配設しているので、このバリア開閉リングに対してバリア羽根が干渉することなく円滑に開閉動作し得るように配置する必要がある。したがって、このような部材配置によれば、バリア羽根の退避位置での配置空間を確保しなければならずレンズ鏡筒が大型化してしまう原因になる。
【００１２】
また、上記特開平７−１５９８５５号公報による手段では、バリア開閉リングからレンズ鏡筒内部に向けて腕部を延出させるように構成しているので、レンズ鏡筒内部において当該腕部の光軸に沿う方向及び回動する方向への移動空間を確保する必要がある。したがって、このこともレンズ鏡筒の小型化を阻害する原因になっている。
【００１３】
さらに、上記腕部をレンズ鏡筒内部へと挿通させるための孔をレンズ鏡筒の先端部を構成する部材に穿設する必要があることから、例えばこの孔部からレンズ鏡筒の内部に塵埃等が侵入する可能性がある。これに加えて、このような構成を採用した場合には、当該レンズ鏡筒の防塵防水構造を実現することは困難であるという問題点もある。
【００１４】
一方、上記特開平７−２０３６９号公報によって開示される手段では、上記特開平７−１５９８５５号公報による手段で生じ得る上述の諸問題と同様の問題点に加えて、バリア駆動ギヤーを介して駆動機構の駆動モータの駆動力をバリア開閉リングへと伝達し、これを回動させる構成としていることから、ギヤーを用いて連結している部位に例えば塵埃等が侵入すると作動不良が生じる可能性も考えられる。
【００１５】
また、複数のギアー等からなる駆動機構をレンズ鏡筒の内部に配設するような構成としていることから、多数の部材を配設する空間を確保する必要があり、よってレンズ鏡筒の小型化を阻害する要因にもなっている。
【００１６】
他方、比較的広い画角の撮影範囲を有する撮影光学系を採用するレンズ鏡筒の場合においては入射光束の範囲が広くなり、よってレンズ鏡筒の前面側の開口を大きくする必要がある。この場合において、上記特許第３３７０４０１号公報によって開示されているカメラのレンズバリア機構のように、レンズ鏡筒の最先端寄りの部位にバリア部材を配置する構成を採用すると、バリア羽根自体も大きくする必要が生じる。すると、このバリア羽根が光路から退避する開位置に配置するための空間も大きくなってしまうので、レンズ鏡筒自体も大型化してしまうという問題点がある。
【００１７】
そこで、大きな開口を遮蔽しかつ退避空間を小さくするためにはバリア羽根の枚数を増加させることが考えられる。しかし、より複数のバリア羽根を確実に開閉するためには、より複雑な機構が必要になるという問題点がある。
【００１８】
本発明は、上述した点に鑑みてなされたものであって、その目的とするところは、撮影光学系の光路を遮光する閉位置と同光路から退避する開位置との間を移動させる開閉動作を簡単な構成で確実に実行し得る信頼性を確保しつつ、大型化を抑止し得るレンズバリアの開閉機構を備え防塵防水構造をも考慮したレンズ鏡筒及びこれを備えたカメラを提供することである。
【課題を解決するための手段】
【００１９】
上記目的を達成するために、本発明によるレンズ鏡筒及びカメラは、沈胴位置と撮影位置との間で繰出動作及び繰込動作を行うレンズ鏡筒において、最も繰り出された状態とされたときに先端に位置する繰出段ユニットと、この繰出段ユニットに含まれ繰出動作及び繰込動作に伴って回動することなく撮影光学系の光軸に沿う方向に進退する第１の枠部材と、上記繰出段ユニットに含まれ繰出動作及び繰込動作に伴って上記第１の枠部材と一体的に上記撮影光学系の光軸に沿う方向に進退すると共に、上記第１の枠部材に対して上記撮影光学系の光軸周りに相対的に回動する第２の枠部材と、上記第１の枠部材に配設され上記撮影光学系の一部を構成する光学素子と、上記第１の枠部材に配設され上記撮影光学系の光路を遮断する閉位置と上記撮影光学系の光路から退避する開位置との間で移動する少なくとも一対のバリア羽根と、このバリア羽根を挟んで上記光学素子の配設位置とは反対側の位置に配設され上記撮影光学系の光軸周りに回動して上記バリア羽根を開閉駆動するバリア羽根駆動部材と、上記第２の枠部材の上記撮影光学系の光軸周りへの回動力を上記バリア羽根駆動部材へと伝達する駆動力伝達部とを具備することを特徴とする。
【発明の効果】
【００２０】
本発明によれば、撮影光学系の光路を遮光する閉位置と同光路から退避する開位置との間を移動させる開閉動作を簡単な構成で確実に実行し得る信頼性を確保しつつ、大型化を抑止し得るレンズバリアの開閉機構を備え、防塵防水構造を考慮したレンズ鏡筒及びこれを備えたカメラを提供することができる。
【発明を実施するための最良の形態】
【００２１】
以下、図示の実施の形態によって本発明を説明する。  
図１は、本発明の一実施形態のカメラを概略的に示す外観斜視図である。図２〜図５は、図１のカメラに具備されるレンズ鏡筒を示す分解斜視図である。図６〜図８は、本実施形態のレンズ鏡筒の断面図を示し、図６は当該レンズ鏡筒の沈胴状態を、図７は当該レンズ鏡筒を最短焦点距離に設定した状態（広角状態）を、図８は当該レンズ鏡筒を最長焦点距離に設定した状態（望遠状態）を、それぞれ示している。
【００２２】
本実施形態で例示するカメラ１は、図１に示すように三段繰出方式のズームレンズ鏡筒（以下単にレンズ鏡筒という）２を具備した小型カメラである。
【００２３】
このカメラ１は、内部や表面上に各種の構成部材が配設され外装部材によって覆われるカメラ本体１ａと、このカメラ本体１ａの前面の略中央部分に固設され複数の光学素子からなる撮影光学系２ａやこれを保持する複数の枠部材及び複数の筒状部材等からなり撮影光学系２ａの光軸に沿う方向に伸縮自在に配設されるレンズ鏡筒２等によって構成されている。
【００２４】
カメラ１の内部には、被写体を観察し撮影範囲を決定する際に用いられるファインダー装置や被写体までの距離情報を求めこれに基づいて撮影光学系２ａの合焦位置を設定するための測距動作に寄与する測距装置や被写体を含む撮影範囲の輝度情報を求めこれに応じた適切な露出値に基づいてシャッター速度や絞りの設定を行うための測光装置（いずれも図示せず）等、各種の構成部材が配設されている。
【００２５】
そして、カメラ本体１ａの前面側には、ファインダー装置の一部であるファインダー窓１ｄや、測距装置の一部を構成する測距窓１ｅや、測光装置の一部となる測光窓１ｆや閃光発光装置の一部となる発光窓１ｇ等が配設されている。
【００２６】
また、カメラ本体１ａの上面側や背面側には、操作力量により測距動作及び測光動作とシャッターの動作を開始させる二段スイッチに連動する操作部材であるシャッターレリースボタン１ｂや回動させることでレンズ鏡筒２の繰出動作又は繰込動作を行なわせ焦点距離を変更するためのズームスイッチに連動する操作部材であるズームレバー１ｃ等の複数の操作部材がそれぞれ所定の位置に配設されている。
【００２７】
当該カメラ１を使用しない状態（非撮影状態；図示せず）では、レンズ鏡筒２はカメラ本体１ａの内部に繰り込まれた状態で収納されるようになっている。このときの状態を以下の説明では特に沈胴状態というものとし、この沈胴状態にある際におけるレンズ鏡筒２の各構成部材の位置を沈胴位置と言うものとする（図６参照）。
【００２８】
そして、レンズ鏡筒２が沈胴位置にある状態において、例えば電源スイッチに連動する電源操作部材（図示せず）を操作すると当該カメラ１が起動し撮影状態へと移行する。このとき、レンズ鏡筒２は沈胴位置から前方へと繰り出されて所定の初期位置、即ち撮影位置に配置される。この場合において、この初期の撮影位置は、例えば最短焦点距離に設定したときの状態である広角位置となる。この状態を以下の説明では特に広角状態というものとする（図７参照）。
【００２９】
次いで、この状態からさらにズーム動作を行うズームスイッチに連動するズームレバー１ｃを操作すると、レンズ鏡筒２はさらに前方へと繰り出され、当該レンズ鏡筒２が最も繰り出された状態であって、レンズ鏡筒２が最長焦点距離に設定される望遠位置に設定される。この状態を以下の説明では特に望遠状態というものとする（図１と図８参照）。
【００３０】
そして、レンズ鏡筒２は、上記広角位置から上記望遠位置までの間で繰出動作及び繰込動作が行なわれ、所望の位置で撮影動作を行ない得るようになっている。この領域にあるレンズ鏡筒２の各構成部剤の位置を以下の説明では撮影位置というものとする。
【００３１】
したがって、本実施形態のカメラ１に具備されるレンズ鏡筒２は、所定の沈胴位置から撮影位置との間にて繰出動作及び繰込動作を行ない得るように構成されるものである。さらに詳しく言うと、当該レンズ鏡筒２は、沈胴位置から繰り出されて広角位置に設定された時に撮影位置となり、この広角位置から望遠位置の間で繰出動作及び繰込み動作によって伸縮自在となっている。
【００３２】
次に、本実施形態のカメラ１が具備するレンズ鏡筒２についての詳細な構成を、図２〜図６を用いて以下に説明する。
【００３３】
上述したようにレンズ鏡筒２は、複数の光学素子（１６ａ，１７ａ，１８ａ；図６参照）からなる撮影光学系２ａ（図１参照）や、これを保持する複数の枠部材（１６，１７，１８）及び複数の筒状部材（１１，１２，１３，１４，１５；図２〜図６参照）とその他の構成部材によって構成されており、撮影光学系２ａ（図１）の光軸に沿う方向であって所定の範囲内、即ち沈胴位置から広角位置を経て望遠位置までの間において繰出動作及び繰込動作により伸縮自在に構成されている。
【００３４】
詳述するとレンズ鏡筒２は、カメラ本体１ａ（図１参照）の所定の位置に固設される固定枠１１（図２）と、この固定枠１１の内周側にあって当該固定枠１１とヘリコイド結合することで光軸周りに回動自在にかつ光軸に沿う方向に進退自在に配設される回転枠１２（図２）と、この回転枠１２の内周側にあって光軸に沿う方向に進退自在に配設される移動枠１３（図３）と、この移動枠１３の内周側にあって光軸周りに回動自在にかつ光軸に沿う方向に進退自在に配設される第２カム枠１４（図３）と、この第２カム枠１４の内周側にあって繰出動作及び繰込動作に伴って後述する１群枠１６と一体的に撮影光学系２ａの光軸に沿う方向に進退自在でありかつ１群枠１６に対して撮影光学系２ａの光軸周りに相対的に回動するよう配設される第２の枠部材である第１カム枠１５（図４）と、この第１カム枠１５の内周側にあって撮影光学系２ａ（図１）を構成する複数の光学素子であるレンズ群のうち第１レンズ群１６ａ（図６）を保持し繰出動作及び繰込動作に伴って回動することなく撮影光学系２ａの光軸に沿う方向に進退自在に配設される第１の枠部材である１群枠１６（図４）と、上記第１カム枠１５の内周側でかつ上記１群枠１６の後方にあって光軸に沿う方向に進退自在に設けられシャッター機構及びフォーカス機構と後述する２群枠１７（図６）等からなるシャッターユニット１９と、このシャッターユニット１９の内周側に設けられ撮影光学系２ａ（図１）を構成する複数のレンズ群のうち第２レンズ群１７ａ（図５では図示せず；図６参照）を保持し上記シャッターユニット１９と共に光軸に沿う方向に進退自在に配設される２群枠１７（図５では図示せず；図６参照）と、１群枠１６と後述する３群枠１８（図５参照）との回動を規制しかつこれらを光軸に沿う方向にのみ進退させるフロートキー２０と、フロートキー２０の内側にあって撮影光学系２ａ（図１）を構成する複数のレンズ群のうち第３レンズ群１８ａを保持する３群枠１８（図５）等の各枠部材等によって構成されている。
【００３５】
固定枠１１（図２）は、カメラ本体１ａ（図１参照）の所定の位置に固設される筒状部材からなるものである。この固定枠１１の内周面にはメスヘリコイド１１ａが形成されている。このメスヘリコイド１１ａには回転枠１２のオスヘリコイド部１２ａが螺合するようになっている。これにより、当該固定枠１１と回転枠１２とはヘリコイド結合し、固定枠１１に対して回転枠１２が光軸周りに回動しつつ光軸に沿う方向に進退するようになっている。
【００３６】
また、固定枠１１の内周面には、その周面上において所定の間隔をもって複数の直進溝１１ｂが形成され、各直進溝１１ｂはそれぞれが光軸に沿う方向に形成されている。この直進溝１１ｂには移動枠１３の直進キー１３ａが係合するようになっている。これによって、当該固定枠１１に対する移動枠１３の回動が規制されると共に、移動枠１３は光軸に沿う方向に進退するようになっている。
【００３７】
なお、固定枠１１の前端縁部には遮光機能及び防塵防水機能を備えた遮光ゴム２１が配設されている。また、直進溝１１ｂの前端寄りと後端寄りのそれぞれの所定の位置にはレンズ位置検出スイッチ１１ｃが配設されている。これにより移動枠１３の直進キー１３ａが当該レンズ位置検出スイッチ１１ｃに作用することで、繰出及び繰込動作時における移動枠１３の移動両端位置を検出し、レンズ鏡筒２を精度良く駆動制御すると共に、レンズ鏡筒２の可動範囲を規制するようになっている。
【００３８】
回転枠１２（図２）は、上記固定枠１１の内周側にあって光軸に沿う方向に進退自在にかつ光軸周りに回動自在に配設される筒状部材からなるものである。
【００３９】
この回転枠１２の外周側の後端縁部にはオスヘリコイド部１２ａ及びギアー部１２ｂが形成されている。オスヘリコイド部１２ａは上記固定枠１１のメスヘリコイド１１ａに螺合するようになっている。これにより当該回転枠１２と固定枠とはヘリコイド結合することになる。
【００４０】
また、ギアー部１２ｂには、駆動機構の一部を構成する駆動ギアー（図示せず）が噛合するようになっている。これにより駆動モータの回転駆動力が当該回転枠１２に伝達されることになる。したがって、当該回転枠１２が駆動モータの回転駆動力を受けて回転すると、上記固定枠１１に対して光軸周りに回動しながら光軸に沿う方向に進退するようになっている。
【００４１】
一方、回転枠１２の内周側には、その周面上において所定の間隔をもって複数の直進溝１２ｃが形成されており、各直進溝１２ｃはそれぞれが光軸に沿う方向に形成されている。この直進溝１２ｃには移動枠１３のカムピン挿通溝１３ｄを介して第２カム枠１４のカムピン１４ａが係合するようになっている。これにより当該回転枠１２の回転駆動力が第２カム枠１４へと伝達されることになる。
【００４２】
したがって、回転枠１２が回転すると自身は光軸周りに回動しながら光軸に沿う方向に進退し、これに伴って第２カム枠１４は光軸周りに回動しつつ光軸に沿う方向に進退するようになっている。このときカムピン１４ａはカムピン挿通溝１３ｄを挿通するので、これに沿って移動することになる。
【００４３】
また、回転枠１２の前端縁部には、飾りリング２２と、遮光機能及び防塵防水機能を備えた遮光ゴム２３が配設されている。
【００４４】
移動枠１３（図３）は、上記回転枠１２の内周側にあって、当該回転枠１２に対して光軸周りに回動自在かつ光軸に沿う方向に一体的に移動するよう配設される筒状部材からなるものである。
【００４５】
この移動枠１３の外周側の後端縁部には、その周面上において所定の間隔をもって複数の直進キー１３ａが外方に突出するように形成されている。この直進キー１３ａは固定枠１１の直進溝１１ｂ係合するようになっている。これにより当該移動枠１３はその光軸周りへの回動が規制され、光軸に沿う方向にのみ進退することになる。
【００４６】
また、移動枠１３の外周側の後端縁部近傍であって上記直進キー１３ａの近傍には、複数の係合爪１３ｅが上記直進キー１３ａと同様に周面上において所定の間隔をもって突設されている。この係合爪１３ｅは上記回転枠１２の後端部寄りの内周側に設けられる円周溝１２ｅ（図８参照）に係合することで移動枠１３と回転枠１２とをバヨネット結合させるようになっている。これにより、移動枠１３は回転枠１２と一体に光軸に沿う方向に進退し、光軸周りには回転枠１２に対して相対的に回動自在となっている。つまり、回転枠１２が回動しつつ光軸に沿う方向に移動するとき、これに対して移動枠１３は回動せずに回転枠１２と一体となって光軸に沿う方向に移動する。
【００４７】
一方、移動枠１３の内周面にはメスヘリコイド１３ｂが形成されている。このメスヘリコイド１３ｂは第２カム枠１４のオスヘリコイド１４ｂとヘリコイド結合するようになっている。これにより当該移動枠１３に対して第２カム枠１４が回動すると、第２カム枠１４は移動枠１３に対して光軸に沿う方向へ進退するようになっている。
【００４８】
また、移動枠１３の内周面には、その周面上において所定の間隔をもって複数の直進溝１３ｃが形成されており、各直進溝１３ｃはそれぞれが光軸に沿う方向に形成されている。この直進溝１３ｃにはフロートキー２０の直進キー２０ｄが係合するようになっている。これにより、移動枠１３はフロートキー２０が回動するのを規制し、フロートキー２０が光軸に沿う方向に進退自在となることになる。
【００４９】
また、移動枠１３の周面には複数のカムピン挿通溝１３ｄがそれぞれ所定の間隔をもって形成されている。このカムピン挿通溝１３ｄには、上述したように第２カム枠１４のカムピン１４ａが挿通されるようになっており、さらに当該カムピン１４ａは回転枠１２の直進溝１２ｃに係合するようになっている。
【００５０】
第２カム枠１４（図３）は、上記移動枠１３の内周側にあって光軸周りに回動自在にかつ光軸に沿う方向に進退自在に配設される筒状部材からなるものである。
【００５１】
この第２カム枠１４の外周側の後端縁部には、その周面上において所定の間隔をもって複数のカムピン１４ａが植設されている。このカムピン１４ａは、上述したように上記移動枠１３のカムピン挿通溝１３ｄを介して上記回転枠１２の直進溝１２ｃに係合するようになっている。これにより、当該第２カム枠１４は回転枠１２が回転した際には、回転枠１２と共に光軸周りに回動する。
【００５２】
また、第２カム枠１４の外周側の後端縁部にはオスヘリコイド１４ｂが形成されている。このオスヘリコイド１４ｂは上述したように上記移動枠１３のメスヘリコイド１３ｂとヘリコイド結合するようになっている。これにより、当該第２カム枠１４が回転枠１２と共に回動すると、第２カム枠１４は移動枠１３に対して光軸周りに回動しながら光軸に沿う方向に進退することになる。
【００５３】
そして、第２カム枠１４の内周面には、その周面上において所定の間隔をもって複数の直進溝１４ｃが形成されており、各直進溝１４ｃはそれぞれが光軸に沿う方向に形成されている。この直進溝１４ｃには、第１カム枠１５のガイド突起１５ａが係合するようになっている。
【００５４】
さらに、第２カム枠１４の内周面にはメスヘリコイド１４ｄが形成されている。このメスヘリコイド１４ｄは１群枠１６のオスヘリコイド１６ｂとヘリコイド結合するようになっている。これにより、当該第２カム枠１４が回動すると、１群枠１６は光軸に沿う方向へ進退することになる。
【００５５】
したがって、上述のように形成される第２カム枠１４は、上記回転枠１２の回転駆動力を受けて光軸周りに回動しつつ、移動枠１３に対して光軸に沿う方向へと進退する。このとき、第２カム枠１４にヘリコイド結合する１群枠１６は第２カム枠１４に対して光軸に沿う方向へと進退する。
【００５６】
また、第２カム枠１４の内周面には、その周面上において所定の間隔をもって複数の３群カム１４ｅが形成されている。この３群カム１４ｅには、フロートキー２０の３群直進溝２０ｃを介して後述する３群枠１８の３群ピン１８ｂが係合している。これにより、第２カム枠１４と３群枠１８とはカム結合しており、第２カム枠１４が回動することによって３群枠１８を光軸に沿う方向へと進退させるようになっている。
【００５７】
そして、第２カム枠１４の前端縁部には、飾りリング２４と、遮光機能及び防塵防水機能を備えた遮光ゴム２５が配設されている。
【００５８】
第１カム枠１５（図４）は、上記第２カム枠１４の内周側にあって光軸に沿う方向に進退自在に配設される筒状部材からなるものであり、かつ上述したように１群枠１６に対して光軸周りに相対的に回動自在かつ光軸に沿う方向には１群枠１６と一体的に進退自在となっている。
【００５９】
この第１カム枠１５の外周側の後端縁部には、その周面上において所定の間隔をもって複数のガイド突起１５ａが形成されている。このガイド突起１５ａは上述したように上記第２カム枠１４の直進溝１４ｃに係合するようになっている。これにより、第１カム枠１５は上記第２カム枠１４に対して回動規制がなされ当該第２カム枠１４と共に一体的に回動するようになっている。これと同時に、光軸に沿う方向については第２カム枠１４に対して進退自在となっている。
【００６０】
また、第１カム枠１５の内周面には、複数の２群カム溝１５ｂが所定の間隔をもって形成されている。この２群カム溝１５ｂには、シャッターユニット１９の外周面上に設けられる２群ピン１９ａが１群枠１６の２群直進溝１６ｄを介して係合するようになっている。
【００６１】
さらに、第１カム枠１５の前端縁部の内周側には、互いに対向する位置に一対の押圧部１５ｃが内側に向けて突設されている。この押圧部１５ｃ（駆動力伝達部（３４；図９参照）の一部）は、当該第１カム枠１５が回動したときに後述するレンズバリア２７の一部を構成するバリア駆動リング２７ｃ（バリア羽根駆動部材）の被押圧部２７ｃａ（駆動力伝達部（３４；図９参照）の一部）に当接し、これを回動方向に押圧することで当該バリア駆動リング２７ｃを回動させるようになっている。これによりレンズバリア２７の開閉が行われるようになっている。なお、レンズバリア２７の詳細な構成については後述する。
【００６２】
そして、当該第１カム枠１５の先端縁部には、防塵防水機能を備えた防水部材である防水ゴム２６が配設されるようになっている。
【００６３】
つまり、この防水ゴム２６は、第１カム枠１５（第２の枠部材）の先端縁部近傍において、上記１群枠１６（第１の枠部材）と上記第１カム枠１５（第２の枠部材）との間であって、かつ被押圧部２７ｃａよりも第１レンズ群１６ａ（光学素子）の側に寄った所定の位置に配置されるようになっている。そして、この防水ゴム２６は、１群枠１６（第１の枠部材）と第１カム枠１５（第２の枠部材）との間を水密に保持する役目をするものである。
【００６４】
一方、１群枠１６（図４）は、上記第１カム枠１５の内周側にあって第２カム枠１４に対して光軸に沿う方向に進退自在に配設される略筒形状の部材からなるものであり、第１カム枠１５と共に本レンズ鏡筒２の最先端部分に配置される枠部材である。換言すれば、第１カム枠１５（第２の枠部材）が１群枠１６（第１の枠部材）の外側に配設されている（図４又は図６参照）。
【００６５】
この１群枠１６の先端部近傍の内側には、第１レンズ群１６ａ（図６）が保持されている。つまり、この第１レンズ群１６ａは、上記１群枠１６（第１の枠部材）に配設され上記撮影光学系の一部を構成する光学素子である。
【００６６】
また、１群枠１６の外周側の後端縁部にはオスヘリコイド１６ｂが形成されている。このオスヘリコイド１６ｂは上記第２カム枠１４のメスヘリコイド１４ｄとヘリコイド結合するようになっている。これにより、１群枠１６は上記第２カム枠１４が回動するのに伴って光軸に沿う方向に進退するようになっている。
【００６７】
なお、１群枠１６のオスヘリコイド１６ｂは、筒状部の外周面よりも若干大径となるように形成されている。そして、上記第１カム枠１５は１群枠１６の筒状部の外面を覆うように配設され、上記カム枠１５の後端縁部がオスヘリコイド１６ｂの前側壁部に当接するようになっている。
【００６８】
また、１群枠１６のオスヘリコイド１６ｂの近傍には、複数の係合爪１６ｅが、当該１群枠１６の外周面上において所定の間隔をもって突設されている。この係合爪１６ｅは上記第１カム枠１５の後端部寄りの内周側に設けられる円周溝（図示せず）に係合することで１群枠１６と第１カム枠１５とをバヨネット結合させるようになっている。これにより、１群枠１６は第１カム枠１５と一体に光軸に沿う方向に進退し、光軸周りには第１カム枠１５に対して相対的に回動自在となっている。つまり、１群枠１６が第２カム枠１４とのヘリコイド結合によって、その回動力を受けて光軸に沿う方向に移動するとき、第１カム枠１５は第２カム枠１４に従動して回動しつつ１群枠１６と一体となって光軸に沿う方向に移動する。
【００６９】
そして、１群枠１６の筒状部には、直進ガイド１６ｃ及び２群直進溝１６ｄがそれぞれ周面上において各所定の間隔をもって複数形成されている。このうち直進ガイド１６ｃには、フロートキー２０（図５）の１群直進ガイド片２０ｂが係合するようになっている。これにより１群枠１６はフロートキー２０により回動が規制され、自身が光軸に沿う方向に進退するよう案内されるようになっている。
【００７０】
また、２群直進溝１６ｄには、２群枠１７を含むシャッターユニット１９の２群ピン１９ａが植設される直進キー１９ｂが係合するようになっている。これにより、２群枠１７を含むシャッターユニット１９は、１群枠１６に対して光軸周りの回動が規制される。そして、さらにこの２群ピン１９ａは、上述したように上記第１カム枠１５の２群カム溝１５ｂに係合するようになっている。これにより、第１カム枠１５が光軸周りに回動すると、２群ピン１９ａと２群カム溝１５ｂとのカム結合により、シャッターユニット１９は１群枠１６に対して回動することなく光軸に沿う方向に進退する。
【００７１】
つまり、上記第２カム枠１４が回動するとヘリコイド結合により１群枠１６は光軸に沿う方向に進退することになる。これに伴って第１カム枠１５は１群枠１６と共に光軸に沿う方向に進退すると共に、第２カム枠１４と共に光軸周りに回動することになる。また、このとき、第１カム枠１５の回動及び進退方向の作動は、２群ピン１９ａを介して２群枠１７を備えたシャッターユニット１９へと伝達され、当該シャッターユニット１９を光軸に沿う方向へと移動させるようになっている。
【００７２】
このように、上記１群枠１６（第１の枠部材）と上記第１カム枠１５（第２の枠部材）とは、沈胴位置と撮影位置との間で繰出動作及び繰込動作を行う本レンズ鏡筒２において、最も繰り出された状態とされたときに先端に位置する繰出段ユニットを構成している。このうち１群枠１６は、本レンズ鏡筒２の繰出動作及び繰込動作に伴って回動することなく撮影光学系の光軸に沿う方向に進退する第１の枠部材として具備されている。また、第１カム枠１５は、本レンズ鏡筒２の繰出動作及び繰込動作に伴って上記１群枠１６（第１の枠部材）と一体的に上記撮影光学系の光軸に沿う方向に進退すると共に、上記１群枠１６（第１の枠部材）に対して上記撮影光学系の光軸周りに相対的に回動する第２の枠部材として具備されている。
【００７３】
さらに、１群枠１６の先端部には、前面側から順にバリア飾り２８と開口マスク２９とレンズバリア２７等が配設されている。
【００７４】
このうちレンズバリア２７（図４）は、本レンズ鏡筒２が沈胴位置と撮影位置との間において繰出動作及び繰込動作を行うのに対応して所定の閉位置と所定の開位置との間を移動するように構成されている。これにより当該レンズ鏡筒２の撮影光学系の光路を遮断し又は開放するというものである。
【００７５】
つまり、当該レンズバリア２７が閉位置にあるときには、本レンズ鏡筒２の撮影光学系の前面を覆うことによって、本レンズ鏡筒２の撮影光学系の前面を覆い保護する保護部材の役目をする。また、当該レンズバリア２７が開状態にあるときには、本レンズ鏡筒２の光路上から退避することで当該レンズバリア２７によって撮影光束が阻害されないようになっている。
【００７６】
このレンズバリア２７は、撮影光学系の前面を覆い本レンズバリア２７の各構成部材を前面側より支持する円環形状のバリア蓋２７ａと、本レンズ鏡筒２の状態に応じて撮影光学系２ａ（図１）の光路を遮断する閉位置と撮影光学系２ａの光路から退避する開位置との間で移動し複数の羽根部材によって構成される一対のバリア羽根２７ｘ（第１バリア羽根２７ｄ及び第２バリア羽根２７ｅ）と、上記第１カム枠１５の回動方向の駆動力をバリア羽根２７ｘへと伝達するバリア駆動リング２７ｃと、このバリア駆動リング２７ｃを附勢することで上記一対のバリア羽根２７ｘを開方向へと附勢する一対の附勢部材であるバリア開きバネ２７ｂと、上記一対のバリア羽根２７ｘを閉方向へと附勢する一対の附勢部材であるバリア閉じバネ２７ｆ等によって構成されている。なお、このレンズバリア２７の詳細構成については後述する。
【００７７】
一方、フロートキー２０（図５）は、円環形状の本体部２０ａと、この本体部２０ａから前方に向けて延出する複数の１群直進ガイド片２０ｂとが一体に成形されてなり、１群枠１６と３群枠１８とを光軸に沿う方向に進退させかつそれらの回動を規制する役目をするものである。
【００７８】
このうち１群直進ガイド片２０ｂは、断面が略円弧形状の部材によって各形成されていて、それぞれが本体部２０ａの内周縁部より前方に延出するように設けられている。また、当該１群直進ガイド片２０ｂは、上記本体部２０ａの内周縁部に対してその周面上において所定の間隔をもって複数配置されている。そして、各１群直進ガイド片２０ｂは、上記１群枠１６の直進ガイド１６ｃに対してその内周側から係合するようになっている。これにより当該１群直進ガイド片２０ｂは、上記１群枠１６の光軸に沿う方向への移動を案内するようになっている。
【００７９】
この１群直進ガイド片２０ｂのそれぞれには、光軸に沿う方向に長辺を有する３群直進溝２０ｃが穿設されている。この３群直進溝２０ｃは、その先端側が１群直進ガイド片２０ｂの中程よりも前方寄りの所定の位置から形成され、後端側が当該１群直進ガイド片２０ｂの基部に至り、さらにここから本体部２０ａの内周面に達する部位までの間に形成されている。そして、この３群直進溝２０ｃには、３群枠１８の直進キー１８ｃが係合するようになっている。これにより当該３群直進溝２０ｃは、上記３群枠１８の光軸に沿う方向への移動を案内するようになっている。
【００８０】
一方、本体部２０ａは略円環形状の部材によって形成されていて、その外周面上には複数の直進キー２０ｄが周面上において所定の間隔をもって外部に向けて突設されている。この直進キー２０ｄは移動枠１３の直進溝１３ｃに係合するようになっている。これにより、フロートキー２０は移動枠１３によって回動規制がなされ、かつ直進溝１３ｃに沿って移動することで光軸に沿う方向へと進退自在に案内されている。
【００８１】
そして、本体部２０ａの外周面上であって各直進キー２０ｄの近傍には、複数の係合爪２０ｅが上記直進キー２０ｄと同様に周面上において所定の間隔をもって突設されている。この係合爪２０ｅは第２カム枠１４の後端部寄りの内周側に設けられる円周溝１４ｆ（図６参照）に係合することでフロートキー２０と第２カム枠１４とをバヨネット結合させるようになっている。これにより、フロートキー２０は第２カム枠１４と一体に光軸に沿う方向に進退し、光軸周りには相対的に回動自在となっている。つまり、この場合には第２カム枠１４が回動するときフロートキー２０は回動せず、第２カム枠１４が光軸に沿う方向に移動するときフロートキー２０も一体となって移動するようになる。
【００８２】
そして、フロートキー２０の後端面には、フレア絞り３２がビス等の締結部材３３によって固設されている。このフレア絞り３２は、撮影光学系を透過した光束のうち被写体像を形成するのに必要な光束のみを透過させ不要光束を遮断する役目をする遮光部材である。
【００８３】
なお、フレア絞り３２は、３群枠１８をフロートキー２０の内部に配設した後に、当該フロートキー２０の所定の位置に取り付けるようになっている。
【００８４】
シャッターユニット１９は、上述したようにシャッター機構及びフォーカス機構（図示は省略）と２群枠１７（図５では図示せず；図６参照）等によって構成される略筒形状からなるユニットである。このシャッターユニット１９は、上記第１カム枠１５の内周側でかつ上記１群枠１６の後方において光軸に沿う方向に進退自在となるように配置されている。
【００８５】
当該シャッターユニット１９の外周側の先端寄りの所定の位置には、複数の２群ピン１９ａがその周面上において所定の間隔をもって植設されている。この２群ピン１９ａは、１群枠１６の２群直進溝１６ｄを介して第１カム枠１５の２群カム溝１５ｂに係合することで、当該シャッターユニット１９と第１カム枠１５とがカム結合するようになっている。そして、これにより第１カム枠１５の回動力がシャッターユニット１９及びその内部の２群枠１７へと伝達されるようになっている。
【００８６】
また、このシャッターユニット１９の前端縁部と１群枠１６との間には遮光蛇腹３０が伸縮自在に配設されている。つまり、この遮光蛇腹３０の一端部は、シャッターユニット１９の前端縁部に固設され、他端部は１群枠１６の内部における所定の位置に固設されている。したがって、これにより本レンズ鏡筒２の繰出動作又は繰込動作が行われて当該シャッターユニット１９（２群枠１７）と１群枠１６とが相対的に離間すると、遮光蛇腹３０は伸長するようになっている。また、繰込動作がなされてシャッターユニット１９（２群枠１７）と１群枠１６とが相対的に近付くと当該遮光蛇腹３０は収縮する。このように遮光蛇腹３０は図６〜図８に示すように伸縮するようになっている。
【００８７】
なお、上記シャッターユニット１９に含まれる２群枠１７（図５では図示せず。図６参照）は、上述したように撮影光学系を構成する複数のレンズ群のうち第２レンズ群１７ａを保持する枠部材であって、シャッターユニット１９の内部に配され、図示しない駆動機構によりシャッターユニット１９内で光軸に沿う方向に進退駆動される。この２群枠１７の光軸方向の進退により撮影光学系２ａの合焦動作が行なわれる。
【００８８】
３群枠１８（図５）は、フロートキー２０の内周側に配置される円環形状からなる枠部材であって撮影光学系を構成する複数のレンズ群のうち第３レンズ群１８ａを保持する枠部材である。
【００８９】
この３群枠１８の外周側の所定の位置には、複数の３群ピン１８ｂがその周面上において所定の間隔をもって植設されている。この３群ピン１８ｂは、フロートキー２０の３群直進溝２０ｃを介して第２カム枠１４の３群カム１４ｅとカム結合するようになっている。これにより、当該３群枠１８は第２カム枠１４が回動することによって光軸に沿う方向へと進退するようになっている。
【００９０】
また、３群枠１８の外周面上において上記３群ピン１８ｂの各基部には、直進キー１８ｃがそれぞれに形成されている。この直進キー１８ｃは、フロートキー２０の３群直進溝２０ｃに係合するようになっている。これにより当該３群枠１８は回動規制され、光軸に沿う方向にのみ移動するようになっている。
【００９１】
そして、この３群枠１８の前端面と上記シャッターユニット１９内の２群枠１７の後端面との間には、図６に示すように伸長性のコイルバネ等からなる附勢部材３１が配設されている。これは、両枠１７，１８がそれぞれカム結合によって光軸に沿う方向に進退自在となっていることから、そのカム結合部位でのガタを取り除くために設けられているものである。
【００９２】
以上のように構成される本実施形態のカメラ１が具備するレンズ鏡筒２のレンズバリア２７の詳細な構成について、主に図４を用いて以下に説明する。
【００９３】
本実施形態におけるレンズバリア２７は、上述したように１群枠１６の先端部に配設され、カメラ１の不使用時には当該レンズバリア２７が閉位置となり、１群枠１６の第１レンズ群１６ａ（図６）の前面が複数のバリア羽根２７ｘによって覆われることにより保護される一方、カメラ１を使用する際には当該レンズバリア２７が開状態となり、複数のバリア羽根２７ｘは本レンズ鏡筒２の光路上から退避するように構成されている。
【００９４】
このレンズバリア２７の各構成部材のうち一対のバリア羽根２７ｘは、上述したように１群枠１６（第１の枠部材）の先端部近傍に配設され、上記撮影光学系の光路を遮断する閉位置と同撮影光学系の光路から退避する開位置との間で移動し得るように構成されている。
【００９５】
そのために、この一対のバリア羽根２７ｘは、当該レンズバリア２７が閉位置とされたとき（図６の状態）に内周側に配置される一対の第１バリア羽根２７ｄと、同状態（図６の状態）で外周側に配置される一対の第２バリア羽根２７ｅとの複数の薄板状の羽根部材によって構成されている。
【００９６】
この一対のバリア羽根２７ｘを構成する各羽根部材２７ｄ，２７ｅのそれぞれの一方の端部（各基端部）に形成される軸孔２７ｄｄ，２７ｅｅは、上記１群枠１６の先端部の外周縁部において前方に向けて植設され、互いが円周上において対向する位置に配置される一対のバリア軸１６ｇに対して回動自在に軸支されるようになっている。この場合において、一方の第１バリア羽根２７ｄと一方の第２バリア羽根２７ｅとが一方のバリア軸１６ｇに軸支され、この一方のバリア軸１６ｇを中心として両羽根２７ｄ，２７ｅが回動することで、本レンズ鏡筒２における光路の下半部が遮蔽又は開放されるようになっている。また、これと同様に、他方の第１バリア羽根２７ｄと他方の第２バリア羽根２７ｅとが他方のバリア軸１６ｇに軸支され、この他方のバリア軸１６ｇを中心として両羽根２７ｄ，２７ｅが回動することで、本レンズ鏡筒２における光路の上半部が遮蔽又は開放されるようになっている。
【００９７】
第１バリア羽根２７ｄの基端部には、被駆動ピン２７ｄａが一体に形成されている。この被駆動ピン２７ｄａは軸状部材からなり、その中心軸が光軸に沿う方向となるように配置されている。この被駆動ピン２７ｄａにはバリア閉じバネ２７ｆの一端部が係止されるようになっている。これにより、当該第１バリア羽根２７ｄに対してはバリア閉じバネ２７ｆによる所定方向の附勢力であって、第１バリア羽根２７ｄが常に閉位置に向かう附勢力が働くようになっている。
【００９８】
また、第１バリア羽根２７ｄの各先端部には切欠状の閉じ側押圧部２７ｄｂが形成されている。この閉じ側押圧部２７ｄｂは、当該第１バリア羽根２７ｄが閉じ方向に移動する際の所定のときに第２バリア羽根２７ｅの先端部に設けられる閉じ側被駆動突起２７ｅａに当接する部位である。つまり、第１バリア羽根２７ｄの閉じ側押圧部２７ｄｂが閉移動する際に第２バリア羽根２７ｅの閉じ側被駆動突起２７ｅａに当接し、これを押圧することで当該第２バリア羽根２７ｅが閉位置に向けて回動するようになっている。
【００９９】
一方、第２バリア羽根２７ｅの各先端部には、上述したように閉じ側被駆動突起２７ｅａが一体に形成されている。この閉じ側被駆動突起２７ｅａは軸状部材からなり、その中心軸が光軸に沿う方向となるように配置されている。
【０１００】
また、第２バリア羽根２７ｅの外縁部の中程の部位には開き側被駆動突起２７ｅｂが一体に形成されている。この開き側被駆動突起２７ｅｂは板状の突起からなり、本レンズ鏡筒２の後方に向けて、つまりカメラ１の本体側に向けて延出するように形成されている。開き側被駆動突起２７ｅｂは、上記第１バリア羽根２７ｄが開き方向に移動する際の所定のときに当該第１バリア羽根２７ｄの外縁部の中程の部位の開き側押圧部２７ｄｃが当接し、これを押圧することで第２バリア羽根２７ｅを開位置へ向けて回動させるために設けられているものである。
【０１０１】
次に、バリア閉じバネ２７ｆは、第１バリア羽根２７ｄを常に閉じ方向へと附勢するために設けられる附勢部材である。このバリア閉じバネ２７ｆはコイルバネ等からなり、その両端の腕部が外部に延出した形状となっている。
【０１０２】
このバリア閉じバネ２７ｆは、１群枠１６の先端部の外周縁部において前方に向けて突設されるバネ軸１６ｆに巻回させる形態で軸支されている。そして、一方の腕部はバネ軸１６ｆの近傍に形成されるボス部１６ｈの外壁に係止され、他方の腕部は第１バリア羽根２７ｄの被駆動ピン２７ｄａに係止されている。これにより、当該第１バリア羽根２７ｄを常に閉じ方向に付勢している。
【０１０３】
上記第１バリア羽根２７ｄ及び第２バリア羽根２７ｅからなる一対のバリア羽根２７ｘの前方側、即ちカメラ１の本体側とは反対側であって本レンズ鏡筒２を組み立てた状態で被写体寄りの側にはバリア駆動リング２７ｃが回動自在に配設される。
【０１０４】
換言すれば、このバリア駆動リング２７ｃ（バリア羽根駆動部材）は、一対のバリア羽根２７ｘを挟んで上記第１レンズ群１６ａ（光学素子）の配設位置とは反対側の位置に配設されて、上記撮影光学系２ａの光軸周りに回動することで上記一対のバリア羽根２７ｘ（２７ｄ，２７ｅ）を開閉駆動する役目をしている。
【０１０５】
このバリア駆動リング２７ｃは、上述したように上記第１カム枠１５の回動方向の駆動力を第１バリア羽根２７ｄへと伝達するための媒介部材となっている。このバリア駆動リング２７ｃは円環形状の硬質な薄板部材よりなり、その外周縁部において互いに対向する部位には、一部を前方（カメラ１に対して被写体側）に向けて折り曲げた形態の被押圧部２７ｃａが形成されている。この被押圧部２７ｃａは、第１カム枠１５が回動することによってその押圧部１５ｃが当接し、これに押圧されるようになっている。これにより第１カム枠１５の回動方向への駆動力が当該バリア駆動リング２７ｃへと伝達され、これを同方向へと回動させるようになっている。
【０１０６】
つまり、第１カム枠１５の押圧部１５ｃとバリア駆動リング２７ｃの被押圧部２７ｃａは、当該第１カム枠１５（第２の枠部材）の撮影光学系２ａの光軸周りへの回動力をバリア駆動リング２７ｃ（バリア羽根駆動部材）へと伝達する駆動力伝達部３４の役目をしている。
【０１０７】
さらに詳述すると、この駆動力伝達部３４は、上記第１カム枠１５（第２の枠部材）の先端部において当該第１カム枠１５（第２の枠部材）の内方に向けて突設される押圧部１５ｃと、上記バリア駆動リング２７ｃ（バリア駆動部材）の外周側において上記押圧部１５ｃに当接し得る位置に設けられる被押圧部２７ｃａとによって構成されている。
【０１０８】
この場合において、上記第１カム枠１５（第２の枠部材）は、上述したように１群枠１６（第１の枠部材）の外側に配置されており、駆動力伝達部３４（押圧部１５ｃと被押圧部２７ｃａ）は、上記バリア羽根２７ｘを挟んで上記第１レンズ群１６ａ（光学素子）の配設されている側とは反対側に配置されるようになっている。
【０１０９】
また、バリア駆動リング２７ｃにおける被押圧部２７ｃａの近傍には、バリア駆動カム２７ｃｂを形成する孔部２７ｃｆが穿設されている。この孔部２７ｃｆには、上記第１バリア羽根２７ｄの被駆動ピン２７ｄａが挿通されており、この被駆動ピン２７ｄａは当該孔部２７ｃｆの外がわ内縁部に形成されるバリア駆動カム２７ｃｂに当接するようになっている。そして、バリア駆動リング２７ｃが回動するのに伴って、被駆動ピン２７ｄａはバリア駆動カム２７ｃｂに沿って相対的に移動するようになっている。これにより、第１バリア羽根２７ｄが閉じ方向へと回動するようになっている。
【０１１０】
一方、バリア駆動リング２７ｃには、バリア開きバネ２７ｂを配置するために略長方形状からなる一対の開きバネ収容部２７ｃｃが互いに対向する位置に穿設されている。この一対の開きバネ収容部２７ｃｃと上記一対の被押圧部２７ｃａの配設位置は、当該バリア駆動リング２７ｃの平面上において角度略９０度だけずらした所定の位置に配置されるようになっている。
【０１１１】
上記一対の開きバネ収容部２７ｃｃの長辺方向における各一端部には、立ち曲げ状に形成されるリング側バネ掛け部２７ｃｄが形成されている。このリング側バネ掛け部２７ｃｄに対してバリア開きバネ２７ｂの一端が係止されるようになっている。
【０１１２】
さらに、バリア駆動リング２７ｃの外周面上の所定の位置には、複数の位置決め突起部２７ｃｅが外方に向けた突形状に形成されている。この位置決め突起部２７ｃｅはそれぞれが１群枠１６の先端側の内周面に当接することで、バリア駆動リング２７ｃの１群枠１６の先端側における位置決めをする役目をしている。そして、この位置決め突起部２７ｃｅは、１群枠１６の先端側の内周面に当接した状態を保持しつつ、これに沿って円滑に回動するようになっている。
【０１１３】
上記バリア駆動リング２７ｃの前方側（カメラ１の本体側とは反対側であって本レンズ鏡筒２を組み立てた状態で被写体寄りの側）にはバリア蓋２７ａが配設されるようになっている。このバリア蓋２７ａは略円環形状からなり、本レンズバリア２７の各構成部材を前面側から支持する役目をしている。
【０１１４】
このバリア蓋２７ａの内周縁部には、バリア開きバネ２７ｂの他端を係止するための一対の蓋側バネ掛け部２７ａａが互いに対向する位置において、それぞれが内周に向けて突設されている。また、当該バリア蓋２７ａの平面上において互いに対向する位置に一対のビス孔２７ａｂが穿設されている。そして、これに対応するように上記１群枠１６の先端部の前面側には、ビス孔１６ｋ（図９参照）を備えた上記ボス部１６ｈが形成されている。これにより、バリア蓋２７ａはビス孔２７ａｂを介して二本のビス２７ｇを用いて１群枠１６の前面側のボス部１６ｈのビス孔１６ｋに対して締結固定されるようになっている。
【０１１５】
そして、バリア蓋２７ａの前面側には、撮影光学系への入射光路を規制する開口マスク２９が両面テープ等で固定される。さらに、この開口マスク２９の前面側には、レンズバリア２７の外面側を覆い隠す外装部材となるバリア飾り２８が、例えば接着等の手段によってバリア蓋２７ａに固定される。つまり、開口マスク２９はバリア蓋２７ａとバリア飾り２８との間に挟まれて装着される。
【０１１６】
このように構成される上記レンズ鏡筒２における作用のうち繰出動作及び繰込動作に伴って実行されるレンズバリアの開閉動作について以下に説明する。
【０１１７】
図９〜図１３は、本実施形態のカメラに具備されるレンズ鏡筒が撮影位置（広角位置）から沈胴位置に向けて繰り込まれるのに伴って動作するレンズバリアの変位を示し、当該レンズ鏡筒の前面側のレンズバリアを示す正面図である。なお、図面の煩雑化を避けるためにレンズバリア２７を構成する部材と、これに作用する部材以外の構成部材については、その図示を省略している。
【０１１８】
詳述すると、図９は本レンズ鏡筒２が広角位置よりも若干沈胴位置側に設定されたときのレンズバリア２７の状態であって、レンズバリア２７の第１，第２バリア羽根２７ｄ，２７ｅが開位置にある状態を示す。このときバリア駆動リング２７ｃの回転角度は角度０°（度）の状態である。
【０１１９】
また、図１０は図９のレンズバリア２７が開位置となる広角近傍位置から本レンズ鏡筒２が若干繰り込まれたときのレンズバリア２７の状態を示し、このときバリア駆動リング２７ｃの回転角度は図９の状態から角度３度（°）だけ回転した状態である。
【０１２０】
図１１は本レンズ鏡筒２が図１０の状態からさらに若干繰り込まれたときのレンズバリア２７の状態を示し、このときバリア駆動リング２７ｃの回転角度は図９の状態から角度５度（°）だけ回転した状態である。
【０１２１】
図１２は本レンズ鏡筒２が図１１の状態からさらに若干繰り込まれたときのレンズバリア２７の状態を示し、このときバリア駆動リング２７ｃの回転角度は図９の状態から角度８度（°）だけ回転した状態である。
【０１２２】
図１３は本レンズ鏡筒２が図１２の状態からさらに若干繰り込まれたときのレンズバリア２７の状態を示し、このときバリア駆動リング２７ｃの回転角度は図９の状態から角度１０度（°）だけ回転した状態である。
【０１２３】
まず、本カメラ１のレンズ鏡筒２が撮影位置のうち広角位置にある状態から繰込動作が行われることによって、レンズバリア２７が閉位置に変位する際の動作を説明する。
【０１２４】
本レンズ鏡筒２が撮影位置のうち広角位置へと繰り出された状態においては、バリア開きバネ２７ｂはバリア駆動リング２７ｃを図９に示す矢印ＣＷ方向（図９において時計方向）に附勢している。レンズ鏡筒２が広角位置にあるとき、バリア駆動リング２７ｃの被押圧部２７ｃａ及び第１カム枠１５の押圧部１５ｃは、図９において二点鎖線で示す位置に位置しており両者は離間した状態にある。
【０１２５】
レンズ鏡筒２は、上述したように広角位置から所定の望遠位置までの間の領域において繰出動作及び繰込動作がなされることにより任意の位置に変位させ得るようになっている。レンズ鏡筒２が当該領域における任意の撮影位置へと変位するときには、第１カム枠１５の押圧部１５ｃが図９に示す矢印ＣＷ方向（図９において時計方向）へと回動する。つまり、当該第１カム枠１５の押圧部１５ｃは、撮影領域の間で変位する場合、図９において二点鎖線で示す位置を一端として図９の矢印ＣＷ方向に所定の範囲で回動することになる。
【０１２６】
上述したようにバリア駆動リング２７ｃには、バリア開きバネ２７ｂによって図９の矢印ＣＷ方向へと回動する附勢力が常に付与されている。そして、バリア駆動リング２７ｃの同ＣＷ方向への回動は、当該バリア駆動リング２７ｃの孔部２７ｃｆの一端部に設けられる回転ストッパ部２７ｃｇがバリア軸１６ｇに当接することで係止されている。これにより、バリア駆動リング２７ｃは図９に示す状態からさらにＣＷ方向に向けて回動することを規制されている。
【０１２７】
このように本実施形態においては、レンズバリア２７は、図９に示す広角位置（二点鎖線）よりも若干沈胴位置側の位置にレンズ鏡筒２が繰り出された状態でレンズバリア２７は開位置となる。そして、レンズ鏡筒２をさらに繰り出して撮影位置である広角位置となると、図９において二点鎖線で示す位置にバリア駆動リング２７ｃの被押圧部２７ｃａ及び第１カム枠１５の押圧部１５ｃが変位する。このとき、バリア駆動リング２７ｃの回転ストッパ部２７ｃｇがバリア軸１６ｇに当接して、バリア駆動リング２７ｃのＣＷ方向への回転が規制され、レンズバリア２７の開動作が終了する。なお、図９に示す広角位置（二点鎖線）よりも若干沈胴位置側の位置から、同図において二点鎖線で示す広角位置までの間は、レンズバリア２７が撮影位置である広角位置で確実に開位置となるように設けられる駆動の余裕分であって、各種構成部材の寸法誤差や組み立て誤差を吸収するためのものである。
【０１２８】
一方、第１バリア羽根２７ｄの被駆動ピン２７ｄａには、バリア閉じバネ２７ｆによって当該第１バリア羽根２７ｄを閉じ方向へと附勢する附勢力が常に働いている。つまり、バリア閉じバネ２７ｆは、第１バリア羽根２７ｄの被駆動ピン２７ｄａに作用することによって、バリア軸１６ｇを回転中心として当該第１バリア羽根２７ｄが図９において反時計方向に回動する附勢力を（当該第１バリア羽根２７ｄに対して）常に付与している。
【０１２９】
しかし、バリア駆動リング２７ｃが図９に示す状態（広角位置）にあるときには、第１バリア羽根２７ｄの被駆動ピン２７ｄａは、バリア駆動カム２７ｃｂの所定の部位（回転ストッパ部２７ｃｇ近傍の位置）に当接することにより、第１バリア羽根２７ｄが図９の矢印ＣＣＷ方向に回動することが規制されている。したがって、この状態においては、第１バリア羽根２７ｄの閉位置への移動が規制され、図９に示す第１バリア羽根２７ｄの開状態が維持されている。
【０１３０】
さらにこのとき、第１バリア羽根２７ｄの先端部近傍の外がわ部位（図９の符号２７ｄｅ）は、１群枠１６の先端側の内周縁部に形成される羽根ストッパ部１６ｍに当接している。これにより第１バリア羽根２７ｄは、これ以上図９のＣＷ方向へ回動することがなく、当該第１バリア羽根２７ｄの開状態が維持されている。
【０１３１】
これと同時に、第１バリア羽根２７ｄの開き側押圧部２７ｄｃが第２バリア羽根２７ｅの開き側被駆動突起２７ｅｂに当接し係止されることによって、当該第２バリア羽根２７ｅの閉位置への移動が規制され、図９に示す第１バリア羽根２７ｄの開状態が維持されている。
【０１３２】
このようにして、本レンズ鏡筒２は広角状態を含む任意の撮影位置にあるときには、常にバリア羽根２７ｘの開状態が維持されるようになっている。
【０１３３】
本レンズ鏡筒２が撮影位置にあるとき、例えば広角位置にあるときに、本カメラ１に設けられる操作部材のうち電源スイッチに連動する電源操作部材（図示せず）による電源オフ操作がなされると、本レンズ鏡筒２は所定の繰込動作を開始して、当該レンズ鏡筒２を撮影位置（広角位置）から沈胴位置へと変位させる動作が実行される。
【０１３４】
この繰込動作が実行される場合においては、まず、駆動モータ（図示せず）が駆動される。この駆動モータの駆動力は回転枠１２及び第２カム枠１４を回動させる。これにより１群枠１６及び３群枠１８が後退する。これに伴って、第１カム枠１５が図９に示す矢印ＣＣＷ方向（図９において反時計方向）に回動する。すると、第１カム枠１５の押圧部１５ｃ（駆動力伝達部３４の一部）がバリア駆動リング２７ｃの被押圧部２７ｃａ（駆動力伝達部３４の一部）を押圧する。これにより、バリア駆動リング２７ｃは、バリア開きバネ２７ｂの緊縮方向への附勢力に抗して同方向（図９の矢印ＣＣＷ方向）への回動を開始する。このようにして本レンズ鏡筒２は、広角位置から図９の広角近傍位置を経て図１３の沈胴位置となる方向に繰り込まれることになる。ここで、次の図１０に示す状態となる。
【０１３５】
この状態においては、上述したように第１カム枠１５の押圧部１５ｃ（駆動力伝達部の一部）がバリア駆動リング２７ｃの被押圧部２７ｃａ（駆動力伝達部の一部）を押圧し、バリア駆動リング２７ｃが図９に示す状態から回転角度３度だけ図９の矢印ＣＣＷ方向に回動している。
【０１３６】
図９の状態から図１０の状態へと変位する場合において、上述のようにしてバリア駆動リング２７ｃが矢印ＣＣＷ方向への回動を開始すると、第１バリア羽根２７ｄの被駆動ピン２７ｄａがバリア駆動カム２７ｃｂに沿って相対的に移動する。
【０１３７】
上述したように第１バリア羽根２７ｄは閉じバネ２７ｆによってその閉じ方向へと附勢されており、バリア軸１６ｇを回転中心として図１０において反時計方向へ回動するように附勢力が常に付与している。しかし、第１バリア羽根２７ｄの同方向（矢印ＣＣＷ方向）への回動は、被駆動ピン２７ｄａがバリア駆動カム２７ｃｂの回転ストッパ部２７ｃｇ近傍の所定の位置に当接することで規制されている。
【０１３８】
ここで、図１０に示すようにバリア駆動リング２７ｃが矢印ＣＣＷ方向へ回動して、第１バリア羽根２７ｄの被駆動ピン２７ｄａがバリア駆動カム２７ｃｂに沿って相対的に移動する。すると、これに伴って第１バリア羽根２７ｄは、バリア軸１６ｇを回転中心として図１０において反時計方向へと回動を開始する。したがって、これにより当該第１バリア羽根２７ｄは閉位置に向けて移動を開始する。
【０１３９】
このとき、第１バリア羽根２７ｄの閉じ側押圧部２７ｄｂは、第２バリア羽根２７ｅの閉じ側被駆動突起２７ｅａに非当接状態にある。つまり両者は未だ当接状態になく互いに離間した位置にある。したがって、第２バリア羽根２７ｅは所定の範囲で移動自在な状態にある。ここで、第２バリア羽根２７ｅの可動範囲は、例えば図９に示す位置（開位置）から図１０に示す位置、即ち第１バリア羽根２７ｄの開き側押圧部２７ｄｃと第２バリア羽根２７ｅの開き側被駆動突起２７ｅｂとが当接する位置との間の範囲である。
【０１４０】
この図１０の状態において、さらに第１カム枠１５が矢印ＣＣＷ方向に回動し、バリア駆動リング２７ｃが図９に示す状態から回転角度５度（図１０の状態からは回転角度２度）だけ同方向に回動すると図１１に示す状態になる。
【０１４１】
図１１に示す状態は、第１バリア羽根２７ｄが図１０の状態からさらにバリア軸１６ｇを回転中心として図１１において反時計方向へと回動して、当該第１バリア羽根２７ｄの閉じ側押圧部２７ｄｂが第２バリア羽根２７ｅの閉じ側被駆動突起２７ｅａに当接している状態である。
【０１４２】
この図１１の状態からさらに第１カム枠１５が矢印ＣＣＷ方向に回動し、バリア駆動リング２７ｃを同方向へと回動させると、これに伴って第１バリア羽根２７ｄもさらにバリア軸１６ｇを回転中心として図１１において反時計方向へと回動する。これにより、当該第１バリア羽根２７ｄの閉じ側押圧部２７ｄｂが第２バリア羽根２７ｅの閉じ側被駆動突起２７ｅａを押圧する。これを受けて第２バリア羽根２７ｅは、バリア軸１６ｇを回動中心として閉位置に向けて回動を開始する。そして図１２に示す状態、即ち第１バリア羽根２７ｄが完全に閉位置に移動した状態になる。
【０１４３】
即ち、図１１の状態から第１バリア羽根２７ｄ及び第２バリア羽根２７ｅがさらにバリア軸１６ｇを回動中心として閉位置への回動を続けると、図１２に示すように一対の第１バリア羽根２７ｄは、互いに対向する内側縁部同士が当接することになる。これによって第１バリア羽根２７ｄは全閉位置になる。また、このとき、第２バリア羽根２７ｅは第１バリア羽根２７ｄの外縁部に当接した位置に配置され、これもまた全閉位置になる。このとき、バリア駆動リング２７ｃは図９に示す状態から回転角度８度（図１１の状態からは回転角度３度）だけ同方向に回動することで図１２に示す状態になる。
【０１４４】
この図１２の状態からさらに第１カム枠１５が図１３の矢印ＣＣＷ方向に回動し、本レンズ鏡筒２は沈胴位置に設定される。これに伴ってバリア駆動リング２７ｃも同方向へと回動する。このとき、バリア駆動リング２７ｃは図９に示す状態から回転角度１０度（図１２の状態からは回転角度２度）だけ同方向に回動することで図１３に示す状態になる。
【０１４５】
すると、被駆動ピン２７ｄａとバリア駆動カム２７ｃｂとが離間した状態になる。この状態においても、第１バリア羽根２７ｄの被駆動ピン２７ｄａには、これをバリア軸１６ｇを回転中心とする反時計方向へと回動させるべく閉じバネ２７ｆの附勢力が付与されている。したがって、第１バリア羽根２７ｄと第２バリア羽根２７ｅとからなるバリア羽根２７ｘの閉位置が確実に維持される。
【０１４６】
このように図１２の状態から図１３の状態へと変位する領域では、バリア羽根２７ｘは閉じバネ２７ｆの附勢力によって閉位置を確保する。この領域をオーバーチャージ領域というものとする。
【０１４７】
次に、本レンズ鏡筒２が沈胴位置にある状態（図１３の状態）から繰出動作が行われることによって、レンズバリア２７が開位置に変位する際の動作を説明する。
【０１４８】
図１３の状態においては、上述したように本レンズ鏡筒２が沈胴位置にあり、このときバリア羽根２７ｘは閉じバネ２７ｆの附勢力によって閉位置が確保されている（オーバーチャージ状態）。この状態において、本カメラ１に設けられる操作部材のうち電源スイッチに連動する電源操作部材（図示せず）による電源オン操作がなされると、本レンズ鏡筒２は所定の繰出動作を開始して、当該レンズ鏡筒２を沈胴位置から撮影位置（広角位置）へと変位させる動作が実行される。
【０１４９】
この繰出動作が実行される場合においては、まず駆動モータ（図示せず）が駆動され、回転枠１２及び第２カム枠１４が回動する。これにより１群枠１６及び３群枠１８が前進し、これに伴って第１カム枠１５が図１３に示す矢印ＣＷ方向（図１３において時計方向）に回動する。すると、第１カム枠１５の押圧部１５ｃ（駆動力伝達部３４の一部）は、バリア駆動リング２７ｃの被押圧部２７ｃａ（駆動力伝達部３４の一部）から離間する方向に回動する。ここで、バリア駆動リング２７ｃは、上述したようにバリア開きバネ２７ｂによって矢印ＣＷ方向に回動するように、つまりバリア羽根２７ｘを開く方向に附勢されている。したがって、当該バリア駆動リング２７ｃは、バリア開きバネ２７ｂの附勢力によって同方向（図１３の矢印ＣＷ方向）への回動を開始する。こうして本レンズ鏡筒２は、図１３の沈胴位置から図９の広角位置へ向けて繰り出される。
【０１５０】
この場合において、図１３の沈胴位置からバリア駆動リング２７ｃが図１３の矢印ＣＷ方向へと回動し、図１２の状態になると被駆動ピン２７ｄａとバリア駆動カム２７ｃｂとが当接した状態になる。この状態においては、第１バリア羽根２７ｄと第２バリア羽根２７ｅとからなるバリア羽根２７ｘは未だ閉位置が維持されている。
【０１５１】
この図１２の状態からさらに第１カム枠１５が矢印ＣＷ方向に回動し、これに伴ってバリア駆動リング２７ｃも同方向へと回動する。すると、被駆動ピン２７ｄａは閉じバネ２７ｆの附勢力に抗してバリア駆動カム２７ｃｂに沿って相対的に移動する。これにより、第１バリア羽根２７ｄはバリア軸１６ｇを回転中心として図１２において時計方向へと回動する。すると、当該第１バリア羽根２７ｄの閉じ側押圧部２７ｄｂと第２バリア羽根２７ｅの閉じ側被駆動突起２７ｅａとの当接状態が解除され、第１バリア羽根２７ｄのみが開方向に向けて移動する一方、第２バリア羽根２７ｅは当該閉位置に取り残される。このとき第２バリア羽根２７ｅは所定の範囲で移動自在な状態となる。ここで、第２バリア羽根２７ｅの可動範囲は、図１２に示す位置（閉位置）から第１バリア羽根２７ｄの閉じ側押圧部２７ｄｂと第２バリア羽根２７ｅの閉じ側被駆動突起２７ｅａとが当接する位置との間の範囲である。
【０１５２】
そして、バリア軸１６ｇを回転中心として図１２において時計方向へと回動する第１バリア羽根２７ｄの開き側押圧部２７ｄｃは、やがて図１２に示す位置にある第２バリア羽根２７ｅの開き側被駆動突起２７ｅｂに当接する。
【０１５３】
この状態からさらに第１カム枠１５が矢印ＣＷ方向に回動し、バリア駆動リング２７ｃが同方向へと回動すると、これに伴って第１バリア羽根２７ｄもさらにバリア軸１６ｇを回転中心として図１２における時計方向へと回動する。これに伴って第１バリア羽根２７ｄの開き側押圧部２７ｄｃは、第２バリア羽根２７ｅの開き側被駆動突起２７ｅｂを押圧しつつ同方向への回動を続ける。これにより第２バリア羽根２７ｅは、第１バリア羽根２７ｄと共にバリア軸１６ｇを回動中心として閉位置に向けて回動する。そして、図９の状態となる。ここで第１バリア羽根２７ｄ及び第２バリア羽根２７ｅは撮影光学系の光路から退避する閉位置に配置される。
【０１５４】
さらに、バリア駆動リング２７ｃが矢印ＣＷ方向へと回動すると、バリア軸１６ｇに対して当該バリア駆動リング２７ｃの孔部２７ｃｆの回転ストッパ部２７ｃｇが当接する。これによりバリア駆動リング２７ｃの回動は停止し、本レンズ鏡筒２は撮影位置（広角位置）に設定される。なお、この間、バリア羽根２７ｘの開位置は維持されており、以降、本レンズ鏡筒２が撮影位置にある状態においては、バリア羽根２７ｘの開位置は維持され続ける。
【０１５５】
以上説明したように上記一実施形態によれば、カメラ１のレンズ鏡筒２を構成する構成部材のうち最も繰り出された状態とされたときに先端に位置する繰出段ユニットの一部である１群枠１６の外周側に回動自在に配置される筒状部材である第１カム枠１５の回動力を利用してレンズバリア２７を構成するバリア羽根２７ｘを開閉動作させるための駆動力を得るように構成している。
【０１５６】
そして、バリア羽根２７ｘを挟んで複数の光学素子のうち第１レンズ群１６ａとは反対側の所定の位置にバリア羽根２７ｘを駆動するための駆動部材であるバリア駆動リング２７ｃを配置するようにしている。
【０１５７】
したがって、これによればバリア羽根２７ｘの配設位置を第１レンズ群１６ａ（光学素子）に近付けた位置に配設することができるので、レンズ鏡筒２の大型化を抑えると共に、同レンズ鏡筒２の繰出状態での全長の短縮化に寄与することができる。また、レンズ鏡筒２の前面側の開口の大径化を抑えることができることから、これを覆うためのバリア羽根２７ｘの小型化に寄与することができる。そして、バリア羽根２７ｘの小型化を実現し得ることから、レンズ鏡筒２自体の小型化にも寄与することができる。
【０１５８】
また、１群枠１６（第１の枠部材）と共に一体的に進退しかつ相対的に回動する第１カム枠１５（第２の枠部材）からバリア羽根２７ｘを開閉させるための駆動力を得るようにしたので、第１カム枠１５（第２の枠部材）の押圧部１５ｃとバリア駆動リング２７ｃ（バリア駆動部材）の被押圧部２７ｃａとからなる駆動力伝達部３４と、バリア羽根２７ｘの移動空間とが光軸方向において干渉することがない。したがって、レンズ鏡筒２の小型化を図ることができ、かつレンズバリア２７の構成を簡略化することができる。
【０１５９】
そして、第１カム枠１５（第２の枠部材）を１群枠１６（第１の枠部材）の外側に配置するようにしたので、バリア駆動リング２７ｃと第１レンズ群１６ａ（光学素子）との間の空間にバリア羽根２７ｘを配置した構成としても駆動力伝達を容易に行い得る構成とすることができる。
【０１６０】
さらに、バリア駆動リング２７ｃを駆動するための駆動力伝達部３４がレンズ鏡筒２の内部を挿通するような構成を採る必要が無いので、各筒部材間に遮光ゴム（２１，２３，２５）や防水ゴム２６等を配設するのみの簡単な構成で防塵防水構造を容易に実現することができる。
【図面の簡単な説明】
【０１６１】
【図１】本発明の一実施形態のカメラを概略的に示す外観斜視図。
【図２】図１のカメラに具備されるレンズ鏡筒の構成部材の一部（固定枠と回転枠の周辺部）の分解斜視図。
【図３】図１のカメラに具備されるレンズ鏡筒の構成部材の一部（移動枠と第２カム枠の周辺部）の分解斜視図。
【図４】図１のカメラに具備されるレンズ鏡筒の構成部材の一部（第１カム枠と１群枠の周辺部）の分解斜視図。
【図５】図１のカメラに具備されるレンズ鏡筒の構成部材の一部（シャッタユニットとフロートキーと３群枠の周辺部）の分解斜視図。
【図６】図１のカメラに具備されるレンズ鏡筒が沈胴位置にある状態を示す断面図。
【図７】図１のカメラに具備されるレンズ鏡筒が広角位置にある状態を示す断面図。
【図８】図１のカメラに具備されるレンズ鏡筒が望遠位置にある状態を示す断面図。
【図９】図１のカメラに具備されるレンズ鏡筒の前面側から見たレンズバリアを示す正面図であって、レンズ鏡筒が広角位置近傍に設定されレンズバリアが開位置にある状態を示す図（バリア駆動リングの回転角度は角度０度の状態）。
【図１０】図１のカメラに具備されるレンズ鏡筒の前面側から見たレンズバリアを示す正面図であって、レンズ鏡筒が図９の位置から若干繰り込まれたときのレンズバリアの状態を示す図（バリア駆動リングの回転角度は角度３度の状態）。
【図１１】図１のカメラに具備されるレンズ鏡筒の前面側から見たレンズバリアを示す正面図であって、レンズ鏡筒が図１０の状態からさらに若干繰り込まれたときのレンズバリアの状態を示す図（バリア駆動リングの回転角度は角度５度の状態）。
【図１２】図１のカメラに具備されるレンズ鏡筒の前面側から見たレンズバリアを示す正面図であって、レンズ鏡筒が図１１の状態からさらに若干繰り込まれたときのレンズバリアの状態を示す図（バリア駆動リングの回転角度は角度８度の状態）。
【図１３】図１のカメラに具備されるレンズ鏡筒の前面側から見たレンズバリアを示す正面図であって、レンズ鏡筒が沈胴位置に設定されレンズバリアが閉位置にある状態を示す図（バリア駆動リングの回転角度は角度１０度の状態）。
【符号の説明】
【０１６２】
１……カメラ
２……レンズ鏡筒
１１……固定枠
１２……回転枠
１３……移動枠
１４……第２カム枠
１５……第１カム枠
１５ｃ……押圧部
１６……１群枠
１６ａ……第１レンズ群
１６ｇ……バリア軸
１７……２群枠
１７ａ……第２レンズ群
１８……３群枠
１８ａ……第３レンズ群
１９……シャッターユニット
２０……フロートキー
２１，２３，２５……遮光ゴム
２２，２４……飾りリング
２６……防水ゴム
２７……レンズバリア
２７ａ……バリア蓋
２７ａａ……蓋側バネ掛け部
２７ａｂ……ビス孔
２７ｂ……バリア開きバネ
２７ｃ……バリア駆動リング
２７ｃａ……被押圧部
２７ｃｂ……バリア駆動カム
２７ｃｃ……開きバネ収容部
２７ｃｄ……リング側バネ掛け部
２７ｃｅ……位置決め突起部
２７ｃｆ……孔部
２７ｃｇ……回転ストッパ部
２７ｄ……第１バリア羽根
２７ｄａ……被駆動ピン
２７ｄｂ……閉じ側押圧部
２７ｄｃ……開き側押圧部
２７ｄｄ，２７ｅｅ……軸孔
２７ｅ……第２バリア羽根
２７ｅａ……閉じ側被駆動突起
２７ｅｂ……開き側被駆動突起
２７ｆ……閉じバネ
２７ｇ……ビス
２７ｘ……バリア羽根
２８……バリア飾り
２９……開口マスク
３０……遮光蛇腹
３１……附勢部材
３２……フレア絞り
３３……締結部材
３４……駆動力伝達部
代理人弁理士伊藤進
【図１】
2005215082.tif 000003
【図２】
2005215082.tif 000004
【図３】
2005215082.tif 000005
【図４】
2005215082.tif 000006
【図５】
2005215082.tif 000007
【図６】
2005215082.tif 000008
【図７】
2005215082.tif 000009
【図８】
2005215082.tif 000010
【図９】
2005215082.tif 000011
【図１０】
2005215082.tif 000012
【図１１】
2005215082.tif 000013
【図１２】
2005215082.tif 000014
【図１３】
2005215082.tif 000015